(57)【要約】      （修正有）【課題】固定極の振動を抑制し、固定極側に共振が発生した場合であっても、共振を制動するコンデンサヘッドホンユニットを提供する。【解決手段】固定極板５，６と、前記固定極板に対向配置された振動板と、前記固定極板の周縁部を支持する枠体状の絶縁座７、８とを備え、前記絶縁座は、少なくとも前記固定極板の一面側の周縁部に当接すると共に、該当接部において粘弾性を有する接着剤２０により前記固定極板に接着され、前記絶縁座が当接する固定極板の一面側には、前記当接部の縁部１０、１１、１２、１３を覆うように周方向に沿って前記接着剤が塗布されている。【選択図】図２
2015170921.tif 000002
【特許請求の範囲】
【請求項１】
固定極板と、前記固定極板に対向配置された振動板と、前記固定極板の周縁部を支持する枠体状の絶縁座とを備えるコンデンサヘッドホンユニットであって、
前記絶縁座は、少なくとも前記固定極板の一面側の周縁部に当接すると共に、該当接部において粘弾性を有する接着剤により前記固定極板に接着され、
前記絶縁座が当接する固定極板の一面側には、前記当接部の縁部を覆うように周方向に沿って前記粘弾性を有する接着剤が設けられていることを特徴とするコンデンサヘッドホンユニット。
【請求項２】
前記当接部の縁部を覆うように周方向に沿って設けられた接着剤は、径方向の凹凸が周方向に沿って不規則に設けられていることを特徴とする請求項１に記載されたコンデンサヘッドホンユニット。
【請求項３】
前記接着剤は、硬化によりゴム弾性体に変化する室温硬化型の接着剤であることを特徴とする請求項１または請求項２に記載されたコンデンサヘッドホンユニット。
【発明の詳細な説明】
【技術分野】
【０００１】
本発明は、振動板と固定極との間の静電容量の変化を利用して音波を放射するコンデンサヘッドホンユニットに関し、特に、固定極側の共振を抑制するコンデンサヘッドホンユニットに関する。
【背景技術】
【０００２】
コンデンサヘッドホンに用いられる電気音響変換器（コンデンサヘッドホンユニット）には、シングル型と、プッシュプル型とがある。シングル型は、振動板の片側に固定極を配置するものである。また、プッシュプル型は振動板の両側に固定極を配置するものである。前記シングル型は、低域共振周波数を下げることに問題があるため、全帯域型の実現が困難とされている。そのため特許文献１、２に示されるように、現在実用化されているコンデンサヘッドホンユニットの殆どがプッシュプル型である。
【０００３】
一例として、従来のプッシュプル型コンデンサヘッドホンの構成を示す。図４は、従来のプッシュプル型コンデンサヘッドホンの断面図である。コンデンサヘッドホンは、その基本的な構成として、ヘッドホン筐体５０を備えている。ヘッドホン筐体５０は、ヘッドバンド５５に支持されて聴者の耳部に装着される。
ヘッドホン筐体５０は、ヘッドバンド５５による支持側が閉じられた有底円筒体からなる。聴者の耳部に宛がわれるヘッドホン筐体５０の開口部側は、多孔板５１によってカバーされている。多孔板５１の周縁には、イヤーパッド５２が取り付けられている。尚、オープンエア型の場合には、ヘッドバンド５５による支持側の筐体側面にも放音孔が設けられる。
【０００４】
また、ヘッドホン筐体５０内には、スピーカとしてのプッシュプル型電気音響変換器６０（コンデンサヘッドホンユニット）が収納されている。即ち、この電気音響変換器６０は、振動板６１と、一対の固定極６３，６４とを備えている。振動板６１は、振動板リング６２に所定のテンションがかけられた状態で張設されている。また、固定極６３、６４の周縁部は、リング状の絶縁座６６によって支持されている。固定極６３、６４は、振動板６１の両側に配置されている。また、ヘッドホン筐体５０内において、電気音響変換器６０の背面側に音響的なダンパー材６５が配置されることもある。
【０００５】
前記振動板６１には、極めて薄い（例えば１．２μｍ程度）高分子フィルムが用いられる。前記高分子フィルムは、例えばポリエチレンテレフタレート（ＰＥＴ）、ポリフェニレンサルファイド（ＰＰＳ）やポリエチレンナフタレート（ＰＥＮ）などがある。振動板６１の両面には金属蒸着或いは高抵抗皮膜処理などにより導電性が付与されている。振動板リング６２は、黄銅合金などの導電材よりなる。
【０００６】
また、固定極６３，６４には、黄銅合金やアルミニウムなどの金属板が用いられる。固定極６３、６４には、振動板６１からの音波を放出するための多数の孔（直径０．１〜１．０ｍｍ程度）が開けられる。また、多くの場合、固定極６３，６４には、振動板６１との対向面にエレクトレット材が貼付されている。このエレクトレット材は、高分子フィルムを帯電処理して形成されている。このような構成において、振動板６１と固定極６３，６４との間に成極電圧が印加される。そして、固定極６３、６４に音声信号電圧を加えることにより、振動板６１が静電気力によって変位する。その結果、振動板６１から音波が放射される。
【先行技術文献】
【特許文献】
【０００７】
【特許文献１】特開昭５８−２７７２０号公報
【特許文献２】特開２００８−４２４３６号公報
【発明の概要】
【発明が解決しようとする課題】
【０００８】
ところで、前記のように音声信号電圧が加えられると、少ないながらも固定極６３，６４も振動板６１と共に変位する。静電気力によって、振動板６１と固定極６３、６４が互いに反発するためである。従来のコンデンサヘッドホンにおいては、固定極の厚さを厚くすることで剛性を高め、固定極６３、６４の振動を抑えていた。
しかしながら、固定極６３、６４が厚くなると、ヘッドホンユニットが重くなり、装着感を損なうという課題があった。また、剛性を高めても、固定極６３、６４の振動を完全に抑えることは困難であった。
対して、固定極６３、６４を薄くし、装着感を良くしようとすると、固定極６３，６４が振動しやすくなるという課題があった。
また、前記絶縁座６６による固定極６３，６４の周縁部の支持状態によっては、固定極６３，６４の共振が発生することがあった。固定極の共振は、出力される音声の歪の原因となるため、固定極６３，６４が共振して振幅増大により歪が増加するという課題があった。そのため、固定極６３，６４の振動を抑制可能にする構造が望まれていた。
【０００９】
本発明は、前記した点に着目してなされたものであり、コンデンサヘッドホンユニットにおいて、固定極の振動を抑制し、また、固定極に振動が発生した場合であっても、共振を抑制できるコンデンサヘッドホンユニットを提供することを目的とする。
【課題を解決するための手段】
【００１０】
前記した課題を解決するために、本発明に係るコンデンサヘッドホンユニットは、固定極板と、前記固定極板に対向配置された振動板と、前記固定極板の周縁部を支持する枠体状の絶縁座とを備えるコンデンサヘッドホンユニットであって、前記絶縁座は、少なくとも前記固定極板の一面側の周縁部に当接すると共に、該当接部において粘弾性を有する接着剤により前記固定極板に接着され、前記絶縁座が当接する固定極板の一面側には、前記当接部の縁部を覆うように周方向に沿って前記粘弾性を有する接着剤が設けられていることに特徴を有する。
尚、前記当接部の縁部を覆うように周方向に沿って設けられた接着剤は、径方向の凹凸が周方向に沿って不規則に設けられていることが望ましい。
また、前記接着剤は、硬化によりゴム弾性体に変化する室温硬化型の接着剤であることが望ましい。
【００１１】
このように、絶縁座が当接する固定極板の周縁部において、当接部の縁部を覆うように粘弾性を有する接着剤が設けられる。そのため、固定極板の振動が抑制される。また、固定極板が振動した場合でも、共振状態になることを抑制することができる。
また、前記接着剤により固定極板の振動を吸収し、共振を抑制できるため、固定極板の厚みをより薄く形成することができる。
また、弾性を有する接着剤が、固定極板の周縁部において径方向の凹凸を持った状態で設けられていることにより、固定極板がした場合に、接着剤が固定極板の振動を吸収すると共に、共振モードに移行する際の境界条件が曖昧となり、より確実に共振を防止することができる。
【発明の効果】
【００１２】
コンデンサヘッドホンユニットにおいて、固定極の振動を抑制し、固定極に振動が発生した場合であっても、共振状態に移行するのを防止できるコンデンサヘッドホンユニットを得ることができる。また、振動の抑制が効果的に行うことができるため、固定極板を薄くすることができる。その結果、軽量なコンデンサヘッドホンユニットを実現することができる。
【図面の簡単な説明】
【００１３】
【図１】図１は、本発明に係るコンデンサヘッドホンユニットの断面図である。
【図２】図２は、図１のコンデンサヘッドホンユニットを一部拡大した断面図である。
【図３】図３は、図１のコンデンサヘッドホンユニットの断面図である。
【図４】図４は、従来のプッシュプル型コンデンサヘッドホンの構成を示す断面図である。
【発明を実施するための形態】
【００１４】
以下、本発明の実施の形態を図面に基づき説明する。図１は、本発明に係るコンデンサヘッドホンユニットの断面図である。
図１に示すコンデンサヘッドホンユニット１は、図において上下に相対向して接着された一対の振動板リング２、３を備えている。それら振動板リング２，３の間には、薄い振動板４が張設されている。
前記振動板リング２，３は、それぞれ円形の枠体に形成されている。さらに、振動板リング２，３は、上下に所定幅の枠面を有している。振動板リング２，３は金属製であり、例えばアルミニウム材や黄銅合金等から形成されてよい。
【００１５】
また、前記振動板４は、例えば厚さ１．５μｍの薄いフィルム状に形成されている。この振動板４は、例えばＰＥＴ、ＰＰＳ、ＰＥＮなどの高分子フィルムからなる。振動板４の周縁部４ａは、振動板リング２，３の枠面によって狭持され、さらに接着剤によって前記枠面に固定されている。
【００１６】
また、図１において前記振動板４の上下には、固定極５，６がそれぞれ配置されている。固定極５、６は所定厚さ（約０．５ｍｍ）の金属板（例えば黄銅合金やアルミニウムなど）からなる。前記振動板４と前記固定極５、６とは、所定の間隔（例えば０．３〜１．０ｍｍ程度）を空けて配置される。
固定極５，６には、多数の孔５ａ、６ａ（直径０．１〜１．０ｍｍ程度）が開けられている。振動板４からの音波は、この孔５ａ、６ａを介して、放出される。尚、固定極５，６の振動板４との対向面には、エレクトレット材が貼付されている。このエレクトレット材は、高分子フィルムを帯電処理したものである。
【００１７】
また、この一対の固定極５，６の一面側の周縁部には、絶縁座７、８が当接している。絶縁座７、８は、絶縁性材料からなる枠体である。前記絶縁座７，８と固定極５，６とが接する領域（当接部と呼ぶ）には接着剤２０が塗布される。この接着剤２０が硬化することにより、絶縁座７，８が固定極５，６を支持する。
【００１８】
前記接着剤２０には、硬化すると粘弾性となる性質を有するもの（振動を吸収可能なように弾性を持ちつつ、形状を徐々に戻す素材）が好ましい。具体的には、硬化によりゴム弾性体に変化する室温硬化型の接着剤（例えば信越化学工業株式会社の商品名ＫＥ３４７５）を用いることができる。
図２の拡大図に示すように、前記固定極５，６に対する絶縁座７，８の当接部の縁部１０、１１、１２、１３が前記接着剤２０に覆われた状態となる。これにより接着剤２０が、固定極５の上面と絶縁座７の側面に面接触した状態となる。
【００１９】
また、図３に示すように、例えば固定極５には、接着剤２０が一様ではなく、径方向の凹凸が周方向に沿って不規則に形成された状態で設けられている。この接着剤２０が塗布された部分が、図２における縁部１０に当たる。
ここで、固定極５，６の周縁部は、絶縁座７，８によって固定されている。そのため、従来の固定極５、６には、節円を持つ共振が発生することがある。このときの共振モードには、基本共振モードの他、二次共振モード、三次共振モードなど複数次の共振モードがある。固定極５、６がこれらの共振モードに移行することにより、固定極５、６の振幅が大きくなる場合がある。その結果、音声出力には固定極の振動を原因とする歪みが混入する。
しかしながら、この実施の形態によれば、固定極５，６が振動した場合に、接着剤２０が固定極５，６の振動を吸収する。さらに、固定極５、６の境界条件が曖昧となり、共振を防止することができる。これは、前記のように粘弾性を有する接着剤２０が、固定極５，６の周縁部において、径方向の凹凸を持った状態で設けられているためである。固定極５，６の周縁部の位置毎に境界条件が違うため、固定極５，６は共振状態に移行しない。
【００２０】
このように本発明に係る実施の形態によれば、絶縁座７，８が当接する固定極５，６の周縁部において、当接部の縁部を覆うように粘弾性を有する接着剤２０が設けられる。これにより、固定極５，６の振動が抑制され、固定極５，６が共振状態になることを防止することができる。
また、前記接着剤２０により固定極５，６の振動を吸収し、さらに共振を防止できるため、固定極５，６の厚みをより薄く形成することができる。これにより、軽量なコンデンサヘッドホンを実現できる。
【００２１】
尚、前記実施の形態においては、プッシュプル型のコンデンサヘッドホンユニットについて説明した。しかし、本発明に係るコンデンサヘッドホンユニットは、固定極の振動を抑制するための構造に特徴を有するものである。したがって、プッシュプル型に限らず、振動板の片側に固定極を配置するシングル型にも適用できる。
【符号の説明】
【００２２】
１            コンデンサヘッドホンユニット
２            振動板リング
３            振動板リング
４            振動板
５            固定極（固定極板）
６            固定極（固定極板）
７            絶縁座
８            絶縁座
１０          縁部
１１          縁部
１２          縁部
１３          縁部
２０          接着剤
【図１】
2015170921.tif 000003
【図２】
2015170921.tif 000004
【図３】
2015170921.tif 000005
【図４】
2015170921.tif 000006